(57)【要約】【課題】繰り返しスライド操作がなされても破け難いスライド操作型キーシートの提供、またそのスライド操作型キーシートを用いたスライド操作型キースイッチの提供。【解決手段】軟質樹脂フィルム７ｆと弾性エラストマーシート７ｇとの積層体であるベースシート７が、高い耐摩耗性、高引裂き強度、及びゴム状弾性を兼ね備えるため、スライド操作の際に化粧板４や回路基板１０などとベローズ部７ｂが擦れてもそのベローズ部７ｂを破け難くでき、さらに弾性エラストマーシートによりスライド移動したスライド操作釦５を初期位置に戻す付勢力を発揮できる。よって高耐久で操作性の良好なスライド操作型キーシート２を実現できる。【選択図】図３
2009104877.tif 000002
【特許請求の範囲】
【請求項１】
透孔を有する化粧板と、該化粧板の透孔に露出し側方にスライド移動するスライド操作釦と、前記化粧板及び前記スライド操作釦を操作面側となる表面に固着するベースシートと、を備えるスライド操作型キーシートにおいて、
前記ベースシートが、スライド操作釦を固着する第１固着部と、該第１固着部の周囲に周状に拡がる蛇腹状のベローズ部と、該ベローズ部の外方に化粧板と固着する第２固着部と、から形成されており、さらに軟質樹脂フィルムと弾性エラストマーシートとの積層体でなることを特徴とするスライド操作型キーシート。
【請求項２】
ベースシートが、操作面側に軟質樹脂フィルムを備える請求項１記載のスライド操作型キーシート。
【請求項３】
スライド操作釦の裏面側に、該スライド操作釦を浮動支持する金属ばねを備え、該金属ばねが前記ベローズ部の下方に円環状に広がる基部と、スライド操作釦の裏面側からこの基部に至るバネ部とを有する請求項１または請求項２記載のスライド操作型キーシート。
【請求項４】
ベースシートが、裏面側に弾性エラストマーシートを備えており、該弾性エラストマーシートに第１固着部を浮動支持する脚部を設ける請求項１〜請求項３何れか１項記載のスライド操作型キーシート。
【請求項５】
軟質樹脂フィルムにおける弾性エラストマーシートとの積層面とは反対側の表面が、微細な凹凸面である請求項１〜請求項４何れか１項記載のスライド操作型キーシート。
【請求項６】
ベースシートの裏面側に備わる弾性エラストマーシートに設けられた脚部の先端に、該ベースシートの操作面側に備わる軟質樹脂フィルムから伸長する延長部で形成される被覆部を設ける請求項４記載のスライド操作型キーシート。
【請求項７】
請求項１〜請求項６何れか１項記載のスライド操作型キーシートと、該スライド操作型キーシートの操作面側とは反対の裏面側に配置される回路基板と、を備えるスライド操作型キースイッチであって、
前記ベースシートの第１固着部とベローズ部との間に磁石が固定されると共に回路基板に磁気センサが固定されており、該磁気センサが、スライド操作釦と共にスライドする磁石の磁力を検知して、スライド操作釦の移動方向と移動量を検出するスライド操作型キースイッチ。
【請求項８】
回路基板上に接点スイッチを有しており、化粧板が押圧操作によって該接点スイッチを押圧する押圧操作板である請求項７記載のスライド操作型キースイッチ。
【発明の詳細な説明】
【技術分野】
【０００１】
本発明は、携帯電話機、ＰＤＡ等の携帯情報端末機や、リモコン、ＡＶ機器、ゲーム機等の各種電子機器に用いられ、操作部を側方方向にスライド操作することによって入力可能なスライド操作型キーシート及びスライド操作型キースイッチに関する。
【背景技術】
【０００２】
各種電子機器の多機能化に伴い入力操作は、単一の機能選択にとどまらず、表示画面の切替えやカーソルなどの移動操作が行われるようになってきている。即ち単なる押圧操作に限らずスライド操作が行われている。
【０００３】
このように押圧操作とスライド操作を行うスイッチは、例えば接点スイッチを配置した基板上にスライド操作型キーシートを被せて構成される。このうちスライド操作型キーシートの一従来例には、例えば以下の特許文献１や特許文献２に開示されているものがある。このスライド操作型キーシートではキートップのスライド操作とともにキーシートに設けた磁石が移動するようになっており、この磁石の移動方向と移動量を基板上の磁気センサが検出して、入力が行われるようになっている。こうしたスライド操作型キーシートは確実な多方向入力を容易に行うことができる。
【特許文献１】特開２００４−２８８４５９号公報
【特許文献２】特開２００４−３３５３８３号公報
【発明の開示】
【発明が解決しようとする課題】
【０００４】
上記特許文献１、特許文献２のスライド操作型キーシートではベースシートが薄いため、スライド操作が繰り返されることによってベースシートが破断するおそれがあるという課題がある。そこで、ベースシートにおけるキートップの周囲の部分を蛇腹状に形成したベローズ部を設けることもなされているが、スライド操作の際にこのベローズ部が基板や筐体などと擦れて破け易くなるという課題がある。
【０００５】
以上のような従来技術を背景になされたのが本発明である。すなわち本発明の目的は、繰り返しスライド操作がなされても破け難いスライド操作型キーシートと、そのスライド操作型キーシートを用いたスライド操作型キースイッチを提供することにある。
【課題を解決するための手段】
【０００６】
上記目的を達成すべく本発明は以下のように構成される。
すなわち本発明は、透孔を有する化粧板と、該化粧板の透孔に露出し側方にスライド移動するスライド操作釦と、前記化粧板及び前記スライド操作釦を操作面側となる表面に固着するベースシートと、を備えるスライド操作型キーシートについて、前記ベースシートが、スライド操作釦を固着する第１固着部と、該第１固着部の周囲に周状に拡がる蛇腹状のベローズ部と、該ベローズ部の外方に化粧板と固着する第２固着部と、から形成されており、さらに軟質樹脂フィルムと弾性エラストマーシートとの積層体でなることを特徴とするスライド操作型キーシートを提供する。
【０００７】
本発明では、化粧板とスライド操作釦とベースシートとを備えるスライド操作型キーシートについて、ベースシートが、軟質樹脂フィルムと弾性エラストマーシートとの積層体で形成されている。軟質樹脂フィルムは軟質樹脂を延伸したフィルムであり、弾性エラストマーシートはゴム状弾性体でなるシートである。軟質樹脂フィルムは、弾性エラストマーシートに比べ耐摩耗性が高く引裂き強度も大きいため軟質樹脂フィルムと弾性エラストマーシートとの積層体であるベースシートは、ゴム状弾性を有するのみならず、高い耐摩耗性と高い引裂き強度を兼ね備えることができる。したがって、軟質樹脂フィルムによりベースシートに形成されているベローズ部がスライド操作の際に基板や筐体などの周囲部材と擦れても破け難くすることができる。また、弾性エラストマーシートによりスライド移動したスライド操作釦を初期位置に戻す付勢力を発揮することができる。よって高耐久で操作性の良好なスライド操作型キーシートを実現することができる。
【０００８】
スライド操作型キーシートのベースシートについては、その操作面側に軟質樹脂フィルムが位置するように軟質樹脂フィルムと弾性エラストマーシートとを積層することができる。このようにすれば、ベースシートの操作面側が筐体などの周囲部材と擦れてもベースシートを破け難くすることができる。またベースシートの操作面側は筐体やスライド操作釦との固着面となることが多いので、弾性エラストマーシートのような伸縮を起こさない軟質樹脂フィルムを操作面側に有すれば、ベースシートを筐体やスライド操作釦に固着し易くすることができる。
【０００９】
また、このスライド操作型キーシートについては、スライド操作釦の裏面側に、該スライド操作釦を浮動支持する金属ばねを備え、該金属ばねが前記ベローズ部の下方に円環状に広がる基部と、スライド操作釦の裏面側からこの基部に至るバネ部とを有するものとすることができる。金属ばねがベローズ部の下方に円環状に広がる基部を有するため、ベローズ部が回路基板と接触して擦れることを防止することができる。また、バネ部を有するため、スライド操作釦を回路基板上で浮動支持することができ、スライド操作の際にスムーズな操作を行うことができる。
【００１０】
さらに、スライド操作型キーシートのベースシートについては、その裏面側に弾性エラストマーシートを備え、該弾性エラストマーシートに第１固着部を浮動支持する脚部を設けることができる。このようにすれば、スライド操作型キーシートの裏面側に回路基板を設けた場合、脚部が第１固着部に固着したスライド操作釦を回路基板上で浮動支持し、ベローズ部の回路基板側への落ち込みを防止し、ベローズ部が回路基板と接触して擦れることを防止することができる。また、脚部でスライド操作釦を支えることができ、スムーズなスライド操作を行うことができる。
【００１１】
スライド操作型キーシートのベースシートについては、軟質樹脂フィルムにおける弾性エラストマーシートとの積層面とは反対側の表面を、微細な凹凸面とすることができる。スライド操作の際にベローズ部のどうしが接触したり、ベローズ部が他部材と擦れた場合、そのベローズ部の表面が軟質樹脂フィルムであると接触音や摩擦音を発生することがある。しかし本発明ように軟質樹脂フィルムの表面を微細な凹凸面とすれば、軟質樹脂フィルム表面の粘着性や摩擦係数を小さくすることができ、スライド操作の際にベローズ部のどうしが接触したり、ベローズ部が他部材と擦れても、接触音や摩擦音を発生し難くすることができる。軟質樹脂フィルムの凹凸面は、サンドブラスト処理、薬品処理、溶剤処理などで形成する他、フィラーを軟質樹脂フィルムに混入してフィルム成形を行うことなどにより得られる。
【００１２】
スライド操作型キーシートにおける裏面側に弾性エラストマーシートを備えるベースシートについて、ベースシートの裏面側に備わる弾性エラストマーシートに設けられた脚部の先端に、該ベースシートの操作面側に備わる軟質樹脂フィルムから伸長する延長部で形成される被覆部を設けることができる。このようにすれば、スライド操作型キーシートの裏面側に回路基板を設けた場合、スライド操作の際に脚部の先端において軟質樹脂フィルムの被覆部が回路基板面と接触するため、スライド移動における回路基板との摩擦係数を弾性エラストマーに比べ小さくすることができ、スムーズなスライド操作を行うことができる。
【００１３】
また、本発明は、前記何れかのスライド操作型キーシートと、該スライド操作型キーシートの操作面側とは反対の裏面側に配置される回路基板と、を備えるスライド操作型キースイッチであって、前記ベースシートの第１固着部とベローズ部との間に磁石が固定されると共に回路基板に磁気センサが固定されており、該磁気センサが、スライド操作釦と共にスライド移動する磁石の磁力を検知して、スライド操作釦の移動方向と移動量を検出するスライド操作型キースイッチを提供する。
【００１４】
このスライド操作型キースイッチでは、高耐久で操作性の良好なスライド操作型キーシートと回路基板とを備え、さらにベースシートの第１固着部とベローズ部との間に固定される磁石はスライド操作釦と共にスライド移動するため、そのスライド移動する磁石の磁力を磁気センサが検知してスライド操作釦の移動方向と移動量を検出することができる。そのため、多方向入力を確実にそして正確に行うことができる。また、磁石をスライド操作釦に埋設していないためスライド操作釦を薄肉にすることができ、薄型のスライド操作型キースイッチを実現することができる。
【００１５】
そして、スライド操作型キースイッチについては、回路基板上に接点スイッチを有し、化粧板を押圧操作によって該接点スイッチを押圧する押圧操作板とすることができる。このようにすれば、押圧操作とスライド操作を兼ね備えるスライド操作型キースイッチを実現することができる。
【発明の効果】
【００１６】
本発明のスライド操作型キーシートによれば、そのベローズ部が繰り返されるスライド操作によっても破れ難い、耐摩耗性、引裂き強度が高く、操作性の良好なスライド操作型キーシートを実現することができる。
また本発明のスライド操作型キースイッチによれば、確実な多方向入力を容易に、そして正確に行うことができる。また薄型のスライド操作型キースイッチを実現することができる。
【発明を実施するための最良の形態】
【００１７】
以下、本発明の実施形態について図面を参照しつつ説明する。なお、各実施形態で共通する構成、材質、製造方法等については重複説明を省略する。
以下の各実施形態では、図１で示すようなスライド型の携帯電話機１に組み込むスライド操作型キーシート及びスライド操作型キースイッチに本発明を適用する例を説明する。
【００１８】
第１実施形態〔図１〜図３〕：  
第１実施形態のスライド操作型キーシート２を図２，図３に示す。図２はスライド操作型キーシート２の平面図、図３はスライド操作型キーシート２を備えるスライド操作型キースイッチ３の断面図である。また、このスライド操作型キーシート２を携帯電話機１に装着した状態の平面図を図１に示す。第１実施形態のスライド操作型キーシート２は、化粧板４、スライド操作釦５、目地板６、ベースシート７、ラバーシート８、金属ばね１２を備えている。
【００１９】
最初にスライド操作型キーシート２の構成を概説すると、ベースシート７の表面に、円孔４ａの開いた化粧板４が両面テープ９で固着されるとともに、この円孔４ａ内で、スライド操作釦５と目地板６がそれぞれベースシート７に対して両面テープ９で固着されている。化粧板４とスライド操作釦５、目地板６はそれぞれ別体である。また、化粧板４の周囲側の裏面には、ラバーシート８が両面テープ９で固着されている。化粧板４に設けられた線状孔４ｂ，４ｃには、その裏面のラバーシート８からゴム状弾性体部分が突出しており、この線状孔４ｂ，４ｃを塞ぎ、かつ膨出してリブ８ａ，８ｂを形成している。さらに、スライド操作釦５の下方には、金属ばね１２が設けられている。以下、各部について更に詳しく述べる。
【００２０】
化粧板４は、平面視では矩形状であり、その板厚を貫く円孔４ａと線状孔４ｂ，４ｃが形成されている。図２で示す化粧板４では、円孔４ａを囲むように周状に配置される４つの円弧状透孔４ｂと、これら円弧状透孔４ｂの周囲に配置される７つのコ字状透孔４ｃとで線状孔４ｂ，４ｃが形成されている。
化粧板４には、耐摩耗性の高い樹脂フィルムが用いられる。例えば、ポリエチレンテレフタレートフィルム、ポリブチレンテレフタレートフィルム、ポリウレタンフィルム、ポリアミドフィルム、ポリプロピレンフィルム、ポリスチレンフィルム、フッ素フィルム、アイオノマーフィルム、ポリカーボネートフィルム、ポリ塩化ビニルフィルムなどが挙げられる。
【００２１】
スライド操作釦５は、スライド入力用の操作キーで、平面視で円形状に形成されている。このスライド操作釦５は化粧板４の円孔４ａ内に露出し、側方にスライド移動が可能となっている。なお、スライド操作釦５の表面は平坦面であってもよいが、凹凸模様を形成したり、軟質塗料の塗膜を設けたりすることで、スライド入力操作時に指を滑り難くして操作性を高めることができる。
このスライド操作釦５には、熱可塑性樹脂、熱硬化性樹脂、光硬化性樹脂などの硬質樹脂、合成ゴム、金属などが用いられる。硬質樹脂としては例えば、ポリカーボネート樹脂、ＡＢＳ樹脂、アクリル樹脂、ポリエステル樹脂、エポキシ樹脂、シリコーン樹脂、ＰＢＴ樹脂やこれらのアロイ系樹脂などが挙げられる。合成ゴムとしては例えば、シリコーンゴム、ブタジエンゴム、エチレンプロピレンゴム、スチレンブタジエンゴム、クロロプレンゴム、ニトリルゴム、ウレタンゴム、天然ゴム、フッ素ゴム、アクリルゴム等が挙げられる。金属としては例えば、ステンレス、アルミニウム、クロム、金、銀、銅、ニッケル、錫、鉄などが挙げられる。
【００２２】
目地板６は、化粧板４とスライド操作釦５との間にあって、スライド操作釦５の周囲のデザイン的価値を高めている。図２では、平面視で円環状に形成されており、硬質樹脂から形成されている。この目地板６も化粧板４の円孔４ａ内に露出し、目地板６の内縁はスライド操作釦５の外縁に対し僅かな隙間を空けて同等の平面位置に配置されている。この目地板６は後述するようにスライド操作釦５と共にベースシート７の第１固着部７ａに対して固着してあるため、スライド操作釦５と共に側方にスライド移動が可能となっている。そしてスライド操作釦５と目地板６との間には隙間を設けてあるため、スライド移動方向と交差する方向の移動に対して両者は相互に影響を受け難くなっている。例えばスライド操作釦５を操作面とは反対の裏面側に設けた回路基板に向かって押圧操作した場合には、目地板６を押圧方向に押込むことなくスライド操作釦５を押込むことができる。
目地板６についても、スライド操作釦５と同様の材質から形成することができる。
【００２３】
ベースシート７は、化粧板４の中央部の裏面にあって、化粧板４やスライド操作釦５を一体に固着している。ベースシート７の基本構成は、軟質樹脂フィルム（樹脂部７ｆ）と弾性エラストマーシート（ゴム状弾性部７ｇ）との積層体でなる。このベースシート７の中央部分はスライド操作釦５及び目地板６を固着する第１固着部７ａが設けられ、この第１固着部７ａの周囲には周状に拡がる蛇腹状のベローズ部７ｂが設けられ、さらにこのベローズ部７ｂより外縁側は化粧板４と固着する第２固着部７ｃが設けられている。本実施形態では両面テープ９によってベースシート７の操作面側と、スライド操作釦５、目地板６、化粧板４の各裏面側とを固着しているが、接着剤などで固着することもできる。また、第１固着部７ａの中央には裏面より突出する円錐台形状の押し子部７ｄが形成されている。ベースシート７の裏面と対向する回路基板上に「接点スイッチ」としての皿ばねを配置すればこの押し子部７ｄにより皿ばねを押圧操作することができる。さらに第１固着部７ａにおける目地板６と固着する部分には裏面より突出する円環状の脚部７ｅが形成され、ベースシート７の裏面側に回路基板を設けた際にこの脚部７ｅが支えとなって第１固着部ａを回路基板上に浮動支持することができる。押し子部７ｄや脚部７ｅは弾性エラストマーシートから形成される場合の他、弾性エラストマーシートに別途固着して設けることもできる。
【００２４】
ベースシート７を構成する軟質樹脂フィルム７ｆは、耐摩耗性や耐引裂き強度が高く、硬度がＪＩＳ  Ｋ６２５３  タイプＡデュロメータ６０〜１００の樹脂フィルムが用いられる。例えば、ポリウレタンフィルム、ポリエチレンフィルム、ポリ塩化ビニルフィルム、ポリビニルアルコールフィルム、エチレン酢酸ビニル共重合体フィルムなどが挙げられる。
こうした軟質樹脂フィルム７ｆの表面には、シボ面ともいわれる微細な凹凸面が形成されていることが好ましい。弾性エラストマーシート７ｇとの積層面側では、弾性エラストマーシート７ｇとの接着性の向上が望まれ、弾性エラストマーシート７ｇとの積層面とは反対側の表面では、接触音や摩擦音が発生しないことが望まれるからである。弾性エラストマーシート７ｇとの積層面では、その表面の凹凸の程度は、算術平均粗さ（ＪＩＳ  Ｂ０６０１  準拠）で１μｍ〜１００μｍとすることが好ましいが、積層する弾性エラストマーシート７ｇの種類や接着剤の種類によっては凹凸の程度が１μｍ未満の平坦面であっても良い。凹凸の程度が１００μｍを超えると接着の際に凹部分に空気を巻き込むおそれがあり好ましくない。他方、弾性エラストマーシート７ｇとの積層面とは反対側の表面では、その表面の凹凸の程度は、算術平均粗さで１μｍ〜１００μｍとすることが好ましい。凹凸の程度を１μｍ未満とすると接触音や摩擦音が発生し易くなり、１００μｍを超えると粗く見映えがよくないためである。
また、ベースシート７を構成する弾性エラストマーシート７ｇは、ゴム状弾性を有する熱硬化性エラストマーや熱可塑性エラストマーでなるシートが用いられる。例えば、熱硬化性エラストマーとしては、シリコーンゴム、ブタジエンゴム、エチレンプロピレンゴム、スチレンブタジエンゴム、クロロプレンゴム、ニトリルゴム、ウレタンゴム、天然ゴム、フッ素ゴム、アクリルゴム等が挙げられ、熱可塑性エラストマーは、スチレン系熱可塑性エラストマー、オレフィン系熱可塑性エラストマー、ウレタン系熱可塑性エラストマー、エステル系熱可塑性エラストマー、塩化ビニル系熱可塑性エラストマー等が挙げられる。
【００２５】
ラバーシート８は、ベースシート７が設けられていない化粧板４の裏面に固着されている。このラバーシート８の操作面側には化粧板４の円弧状透孔４ｂやコ字状透孔４ｃを通って化粧板４の操作面より突出するリブ８ａ，８ｂ（円弧状リブ８ａ、コ字状リブ８ｂ）が形成されている。また、裏面側には裏面より突出する円錐台形状の押し子部８ｃや円環状の脚部８ｄが形成されている。スライド操作型キーシート２の裏面側に皿ばねを配置した回路基板を設ければ、この押し子部８ｃにより皿ばねを押圧操作することができ、そしてこの脚部８ｄが支えとなって化粧板４を回路基板上に浮動支持することができる。
ラバーシート８については、ゴム状弾性を有する熱硬化性エラストマーや熱可塑性エラストマーが用いられる。例えば、熱硬化性エラストマーとしては、シリコーンゴム、ブタジエンゴム、エチレンプロピレンゴム、スチレンブタジエンゴム、クロロプレンゴム、ニトリルゴム、ウレタンゴム、天然ゴム、フッ素ゴム、アクリルゴム等が挙げられ、熱可塑性エラストマーは、スチレン系熱可塑性エラストマー、オレフィン系熱可塑性エラストマー、ウレタン系熱可塑性エラストマー、エステル系熱可塑性エラストマー、塩化ビニル系熱可塑性エラストマー等が挙げられる。
なお、ラバーシート８については、ベースシート７と同じ材料を用いても良いし、ベースシート７とラバーシート８とを一体にして形成しても良い。
【００２６】
金属ばね１２は、図４で示すように、平面視で円環状の基部１２ａと、平面視で円形状の台座部１２ｂと、台座部１２ｂを基部１２ａに対して浮動状態で支持する４つの弓状のバネ部１２ｃと、で形成されている。
台座部１２ｂにはベースシート７の押し子部７ｄと係合する係合凹部１２ｄが設けられており、金属ばね１２は押し子部７ｄに対して正確な位置に取付られるようになっている。また、基部１２ａは、ベースシート７のベローズ部７ｂなどの下方にあって、ベローズ部７ｂが回路基板１０と接触して摩耗することを防止することができる。
【００２７】
次に、第１実施形態のスライド操作型キーシート２を備えるスライド操作型キースイッチ３について説明する。スライド操作型キースイッチ３は、図３で示すように、スライド操作型キーシート２、回路基板１０、皿ばね１１を備えている。
回路基板１０はスライド操作型キーシート２の裏面側に設けられ、この回路基板１０上にはベースシート７の押し子部７ｄ及びラバーシート８の押し子部８ｃと対応する位置に皿ばね１１が配置されている。
スライド操作釦５を側方へスライド移動すると、ベースシート７のベローズ部７ｂが伸長又は収縮しながら目地板６及び金属ばね１２がスライド操作釦５と共に化粧板４の円孔４ａ内でスライド移動しスライド入力操作を行うことができる。また、スライド操作釦５を押圧するとベースシート７の押し子部７ｄが金属ばね１２の台座部１２ｂを介して皿ばね１１を押圧し押圧入力操作を行うことができる。
【００２８】
次に、スライド操作型キーシート２の製造方法について説明する。まず、ベースシート７を型内インサート成形で形成する。本実施形態のベースシート７のように弾性エラストマーシートに押し子部７ｄや脚部７ｅを形成する場合は、型内インサート成形が好適である。具体的には、微細な凹凸面側が金型のキャビティー面と接するようにして軟質樹脂フィルムを金型にインサートした後、弾性エラストマーをキャビティー内に充填する。このように製造すると押し子部７ｄや脚部７ｅを有する弾性エラストマーシートを成形することができ、さらに成形と同時に、軟質樹脂フィルムと弾性エラストマーシートとの一体化、及びベローズ部７ｂの蛇腹形状を形成することができる。軟質樹脂フィルムと弾性エラストマーシートの一体化については、熱軟化による接合や、カップリング剤、架橋剤、接着剤、粘着剤などによる接合を実現することができる。他方、抜き加工によって化粧板４を形成し、型成形によってスライド操作釦５、目地板６、ラバーシート８をそれぞれ形成する。次に、必要に応じて着色層や蒸着層（図示せず）を設け、化粧板４、スライド操作釦５、目地板６に表示部や装飾部を形成する。そして、両面テープ９を、ベースシート７における第１固着部７ａや第２固着部７ｃの操作面側、ラバーシート８の円弧状リブ８ａやコ字状リブ８ｂを除く操作面側に貼着した後、化粧板４、スライド操作釦５、目地板６とそれぞれ位置合わせて固着一体化し、スライド操作型キーシート２を得ることができる。なお、両面テープ９を化粧板４、スライド操作釦５、目地板６に貼着して、ベースシート７、ラバーシート８と固着一体化することもできる。また、ベースシート７における他の製造方法としては、熱ラミネート成形で軟質樹脂フィルムと弾性エラストマーシートとを一体化する方法も採用することができる。
【００２９】
最後に、本実施形態のスライド操作型キーシート２およびスライド操作型キースイッチ３の作用・効果を説明する。スライド操作型キーシート２によれば、軟質樹脂フィルム７ｆと弾性エラストマーシート７ｇとの積層体であるベースシート７が、高い耐摩耗性、高引裂き強度、及びゴム状弾性を兼ね備えるため、スライド操作の際に化粧板４や回路基板１０などとベローズ部７ｂが擦れてもそのベローズ部７ｂを破け難くすることができ、さらに弾性エラストマーシートによりスライド移動したスライド操作釦５を初期位置に戻す付勢力を発揮することができる。よって高耐久で操作性の良好なスライド操作型キーシート２を実現することができる。
ベースシート７の操作面側に軟質樹脂フィルムを有するため、ベースシート７の操作面側が化粧板４と擦れてもベースシート７を破け難くすることができる。また軟質樹脂フィルムは伸縮を起こさないため、ベースシート７を化粧板４、スライド操作釦５、目地板６に対して固着し易くすることができる。そして微細な凹凸面が形成されているため、軟質樹脂フィルム７ｆ表面の粘着性や摩擦係数を小さくすることができ、スライド操作の際にベローズ部７ｂのどうしが接触したり、ベローズ部７ｂが化粧板４と擦れても、接触音や摩擦音を発生し難くすることができる。
スライド操作釦５の裏面側に金属ばね１２を備えるため、スライド操作釦５を回路基板１０上で浮動支持することができ、スライド操作の際にスムーズな操作を行うことができる。また、ベースシート７のベローズ部７ｂと回路基板１０の間に金属ばね１２の基部１２ａが介在するため、スライド操作の際にベローズ部７ｂと回路基板１０の接触を回避することができ、ベローズ部７ｂを破損し難くすることができる。
【００３０】
スライド操作型キーシート２を備えるスライド操作型キースイッチ３によれば、確実な多方向入力を容易にそして正確に行うことができる。また、押圧操作とスライド操作を兼ね備える薄型のスライド操作型キースイッチ３を実現することができる。
【００３１】
第２実施形態〔図５，図６〕：  
第２実施形態のスライド操作型キーシート１３を図５，図６に示す。図５はスライド操作型キーシート１３の平面図、図６はスライド操作型キーシート１３を備えるスライド操作型キースイッチ１４の断面図である。第２実施形態のスライド操作型キーシート１３が、第１実施形態のスライド操作型キーシート２と異なるのは、ベースシート１５及び目地板１６の構成と、磁石１７を備える点である。残余の構成及びその作用と効果は第１実施形態と同じである。またスライド操作型キーシート１３を備える携帯電話機１も第１実施形態と同様である。
【００３２】
ベースシート１５は第１実施形態のベースシート７と同様に操作面側の軟質樹脂フィルム１５ｆと裏面側の弾性エラストマーシート１５ｇとの積層体でなり、平面視で円形状に形成されている。しかし、スライド操作釦５を固着する第１固着部１５ａの周囲には磁石１７を固着する固着凹部１５ｂが環状に設けられ、この固着凹部１５ｂの周囲に周状に拡がる蛇腹状のベローズ部１５ｃが設けられている。そして、このベローズ部１５ｃより外縁側には化粧板４と固着する第２固着部１５ｄが設けられている。また、第１固着部１５ａの裏面には中央に円錐台形状の押し子部１５ｅが形成されているが、脚部は設けられていない。
【００３３】
目地板１６は第１実施形態の目地板６と同様に平面視で円環状に形成されている。しかし、ベースシート１５の第１固着部１５ａには非固着状態で載置され、後述する磁石１７の目隠し板としてスライド操作釦５と共に側方にスライド移動可能となっている。
磁石１７は円環形状に形成されている。そして磁石１７がベースシート１５における平面視で環状の固着凹部１５ｂ内に図外の接着剤によって固着されている。
【００３４】
次に、第２実施形態のスライド操作型キーシート１３を備えるスライド操作型キースイッチ１４について説明する。スライド操作型キースイッチ１４は、図６で示すように、スライド操作型キーシート１３、回路基板１０、皿ばね１１、磁気センサ１８を備えている。このうち磁気センサ１８は磁石１７ごとに対応して回路基板１０の裏面に固定されている。
スライド操作釦５を側方へスライド移動すると、ベースシート１５のベローズ部１５ｃが伸長又は収縮しながら目地板１６及び金属ばね１２がスライド操作釦５と共に化粧板４の円孔４ａ内でスライド移動し、スライド入力の操作を行うことができる。また、スライド操作釦５を押圧するとベースシート１５の押し子部１５ｅが金属ばね１２の台座部１２ｂを介して皿ばね１１を押圧し入力操作を行うことができる。
【００３５】
第２実施形態のスライド操作型キーシート１３、及びこれを用いたスライド操作型キースイッチ１４によれば、ベースシート１５の第１固着部１５ａとベローズ部１５ｃとの間の固着凹部１５ｂに固定される磁石１７がスライド操作釦５と共にスライド移動するため、そのスライド移動する磁石１７の磁力を回路基板１０の裏面に固定されている磁気センサ１８で検知することができる。そしてスライド操作釦５の移動方向と移動量を検出することができ、確実な多方向入力を容易にそして正確に行うことができる。また、スライド操作釦５に磁石１７を埋設していないため、スライド操作釦５を薄肉にすることができ、薄型のスライド操作型キースイッチ３、及びこれを用いたスライド操作型キースイッチ１４を実現することができる。
【００３６】
第３実施形態〔図７，図８〕：  
第３実施形態のスライド操作型キーシート１９を図７，図８に示す。図７はスライド操作型キーシート１９の平面図、図８はスライド操作型キーシート１９を備えるスライド操作型キースイッチ２０の断面図である。第３実施形態のスライド操作型キーシート１９が、第１実施形態のスライド操作型キーシート２と異なるのは、スライド操作釦２１、ベースシート２２の構成と、目地板６を備えていない点である。残余の構成及びその作用、効果は第１実施形態と同じである。またスライド操作型キーシート１９を備える携帯電話機１も第１実施形態と同様である。
【００３７】
スライド操作釦２１は平面視で円形状に形成されている。しかし、このスライド操作釦２１の裏面中央には、裏面より突出する押し子部２１ａが形成されている。スライド操作釦２１の裏面側に皿ばね１１を配置すれば、この押し子部２１ａにより皿ばね１１を押圧操作することができる。
ベースシート２２は第１実施形態のベースシート７と同様に操作面側の軟質樹脂フィルム２２ｆと裏面側の弾性エラストマーシート２２ｇとの積層体でなるが、平面視で円環状に形成されている。つまり、スライド操作釦２１を固着する第１固着部２２ａの中央に透孔２２ｂが形成されており、第１固着部２２ａの周囲に周状に拡がる蛇腹状のベローズ部２２ｃが設けられ、このベローズ部２２ｃより外縁側には化粧板４と固着する第２固着部２２ｄが設けられている。そして第１固着部２２ａの裏面における外周部分には裏面より突出する円環状の脚部２２ｅが形成され、ベースシート２２の裏面側に回路基板１０を設けた際にこの脚部２２ｅが支えとなって第１固着部２２ａを回路基板１０上に浮動支持することができる。
【００３８】
次に、このスライド操作型キーシート１９を備えるスライド操作型キースイッチ２０について説明する。スライド操作型キースイッチ２０は、図８で示すように、スライド操作型キーシート１９、回路基板１０、皿ばね１１を備えている。
スライド操作釦２１を側方へスライド移動すると、ベースシート２２のベローズ部２２ｃが伸長又は収縮しながら化粧板４の円孔４ａ内でスライド移動し、スライド入力の操作を行うことができる。また、スライド操作釦２１を押圧するとベースシート２２の脚部２２ｅが歪み変形してスライド操作釦２１の押し子部２１ａが皿ばね１１を押圧し押圧入力の操作を行うことができる。
【００３９】
スライド操作型キーシート１９、及びこれを用いたスライド操作型キースイッチ２０によれば、金属ばね１２の台座部１２ｂを介さずにスライド操作釦２１の押圧操作ができるため、操作者は皿ばね１１のクリック率を損なうことなくクリック感として実感でき、良好なクリック感の押圧操作を実現することができる。
【００４０】
第３実施形態の変形例〔図９〕：  
第３実施形態のスライド操作型キーシート１９では、ベースシート２２における第１固着部２２ａの外周部分に円環状の脚部２２ｅを形成する例を示したが、本実施形態のベースシート２３では平面視で円環状のベースシート２３における内縁の裏面側に弾性エラストマーシート２３ｇによる脚部２３ａを設け、この脚部２３ａの先端にベースシート２３の操作面側に備わる軟質樹脂フィルム２３ｆから伸長する延長部２３ｈで形成される被覆部２３ｉを設けている。
このスライド操作型キーシート１９を回路基板１０上に設けてスライド操作すると、脚部２３ａの先端に設けられた軟質樹脂フィルム２３ｆでなる被覆部２３ｉが回路基板１０面と接触し、スライド移動における摩擦抵抗を小さくすることができる。そのため、スムーズなスライド操作を行うことができる。
【００４１】
第４実施形態〔図１０，図１１〕：  
第４実施形態のスライド操作型キーシート２４を図１０，図１１に示す。図１０はスライド操作型キーシート２４の平面図、図１１はスライド操作型キーシート２４を備えるスライド操作型キースイッチ２５の断面図である。第４実施形態のスライド操作型キーシート２４が、第１実施形態のスライド操作型キーシート２と異なるのは、スライド操作釦２６、ベースシート２７の構成と、目地板６を備えていない点である。残余の構成は第１実施形態と同じである。またスライド操作型キーシート２４を備える携帯電話機１も第１実施形態と同様である。
【００４２】
スライド操作釦２６は回路基板１０に固定される傾倒型スイッチ２８の支軸の先端に取付られる。
ベースシート２７は第１実施形態のベースシート７と同様に操作面側の軟質樹脂フィルム２７ｆと裏面側の弾性エラストマーシート２７ｇとの積層体でなり、平面視で円形状に形成されている。そしてこのベースシート２７の中央部分はスライド操作釦２６を固着する第１固着部２７ａが設けられ、この第１固着部２７ａの周囲には周状に拡がる蛇腹状のベローズ部２７ｂが設けられ、さらにこのベローズ部２７ｂより外縁側は化粧板４と固着する第２固着部２７ｃが設けられている。本実施形態では両面テープ９によってベースシート２７の裏面とスライド操作釦２６とが固着し、ベースシート２７の操作面側と化粧板４の裏面とが固着している。このうち第１固着部２７ａはスライド操作釦２６の上面側と同形状に突出変形している。
【００４３】
次に、第４実施形態のスライド操作型キーシート２４を備えるスライド操作型キースイッチ２５について説明する。スライド操作型キースイッチ２５は、図１１で示すように、スライド操作型キーシート２４、回路基板１０、傾倒型スイッチ２８を備えている。
スライド操作釦２６を傾倒すると、ベースシート２７のベローズ部２７ｂが伸長又は収縮し、スライド入力の操作を行うことができる。
【００４４】
第４実施形態のスライド操作型キーシート２４、及びこれを用いたスライド操作型キースイッチ２５によれば、軟質樹脂フィルムによりベースシート２７に形成されているベローズ部２７ｂが傾倒操作の際に破け難くすることができ、高耐久なスライド操作型キーシート２４、及びこれを用いたスライド操作型キースイッチ２５を実現することができる。
【実施例】
【００４５】
１．スライド操作型キーシートの製造：  
実施例となるスライド操作型キーシートを以下のとおり製造した。
【００４６】
実施例１：  
ベースシートを型内インサート成形で形成した。金型のキャビティー内に「軟質樹脂フィルム」として硬度Ａ８０、厚さ０．０５ｍｍのウレタンフィルムをインサートした後、「弾性エラストマー」として硬度Ａ４０のシリコーンゴムをキャビティー内に充填し、厚さ０．１ｍｍの弾性エラストマーシートをウレタンフィルムと一体成形した。この時、ベローズ部も形成した。抜き加工によってポリエチレンテレフタレートフィルムでなる化粧板と目地板を形成し、切削加工によってアルミニウムでなる厚さ０．２７ｍｍのスライド操作釦を形成し、型成形によってシリコーンゴムでなるラバーシートを形成した。次に、必要に応じて着色層を設け、化粧板、目地板に表示部や装飾部を形成した。そして、両面テープをベースシートにおける第１固着部や第２固着部の操作面側、ラバーシートの円弧状リブやコ字状リブを除く操作面側に貼着した後、化粧板、スライド操作釦、目地板とそれぞれ位置合わせて固着一体化し、第１実施形態に相当する試料１のスライド操作型キーシートを製造した。
【００４７】
実施例２：  
実施例１と同様に形成した積層体の中央に透孔を形成した。アルミニウムを切削加工し裏面に押し子部を有する厚さ０．２７ｍｍのスライド操作釦を形成した。そして、両面テープをベースシートにおける第１固着部や第２固着部の操作面側、ラバーシートの円弧状リブやコ字状リブを除く操作面側に貼着した後、化粧板、スライド操作釦とそれぞれ位置合わせて固着一体化し、第３実施形態に相当する試料２のスライド操作型キーシートを製造した。
【００４８】
２．スライド操作型キーシートの評価：  
上記実施例で製造した試料１、試料２の各スライド操作型キーシートについて、スライド操作釦を側方へ１ｍｍ移動させた際のスライド荷重を荷重測定器を用いて測定し評価した。
試料１、試料２のスライド荷重は０．３〜２．０Ｎ／ｍｍとなり、スムーズなスライド入力が実現でき、測定後スライド移動したスライド操作釦はベースシートの付勢力によって初期位置に戻った。
【図面の簡単な説明】
【００４９】
【図１】本発明のスライド操作型キーシートを備える携帯電話機の外観図であり、分図（Ａ）が平面図、分図（Ｂ）が側面図。
【図２】第１実施形態のスライド操作型キーシートの平面図。
【図３】第１実施形態のスライド操作型キーシートを備えるスライド操作型キースイッチであって図２のＳＡ−ＳＡ線断面相当の説明図。
【図４】第１実施形態のスライド操作型キースイッチに備える金属ばね外観図であり、分図（Ａ）が平面図、分図（Ｂ）が側面図。
【図５】第２実施形態のスライド操作型キーシートの平面図。
【図６】第２実施形態のスライド操作型キーシートを備えるスライド操作型キースイッチであって図５のＳＢ−ＳＢ線断面相当の説明図。
【図７】第３実施形態のスライド操作型キーシートの平面図。
【図８】第３実施形態のスライド操作型キーシートを備えるスライド操作型キースイッチであって図７のＳＣ−ＳＣ線断面相当の説明図。
【図９】第３実施形態のスライド操作型キーシートにおける変形例の要部断面図。
【図１０】第４実施形態のスライド操作型キーシートの平面図。
【図１１】第４実施形態のスライド操作型キーシートを備えるスライド操作型キースイッチであって図１０のＳＤ−ＳＤ線断面相当の説明図。
【符号の説明】
【００５０】
１    携帯電話機
２    スライド操作型キーシート（第１実施形態）
３    スライド操作型キースイッチ
４    化粧板
４ａ  円孔
４ｂ  線状孔（円弧状透孔）
４ｃ  線状孔（コ字状透孔）
５    スライド操作釦
６    目地板
７    ベースシート
７ａ  第１固着部
７ｂ  ベローズ部
７ｃ  第２固着部
７ｄ  押し子部
７ｅ  脚部
７ｆ  樹脂部（軟質樹脂フィルム）
７ｇ  ゴム状弾性部（弾性エラストマーシート）
８    ラバーシート
８ａ  リブ（円弧状リブ）
８ｂ  リブ（コ字状リブ）
８ｃ  押し子部
８ｄ  脚部
９    両面テープ（接着剤）
１０    回路基板
１１    皿ばね
１２    金属ばね
１２ａ  基部
１２ｂ  台座部
１２ｃ  バネ部
１２ｄ  係合凹部
１３    スライド操作型キーシート（第２実施形態）
１４    スライド操作型キースイッチ
１５    ベースシート
１５ａ  第１固着部
１５ｂ  固着凹部
１５ｃ  ベローズ部
１５ｄ  第２固着部
１５ｅ  押し子部
１５ｆ  軟質樹脂フィルム
１５ｇ  弾性エラストマーシート
１６    目地板
１７    磁石
１８    磁気センサ
１９    スライド操作型キーシート（第３実施形態）
２０    スライド操作型キースイッチ
２１    スライド操作釦
２１ａ  押し子部
２２    ベースシート
２２ａ  第１固着部
２２ｂ  透孔
２２ｃ  ベローズ部
２２ｄ  第２固着部
２２ｅ  脚部
２２ｆ  軟質樹脂フィルム
２２ｇ  弾性エラストマーシート
２３    ベースシート
２３ａ  脚部
２３ｆ  軟質樹脂フィルム
２３ｇ  弾性エラストマーシート
２３ｈ  延長部
２３ｉ  被覆部
２４    スライド操作型キーシート（第４実施形態）
２５    スライド操作型キースイッチ
２６    スライド操作釦
２７    ベースシート
２７ａ  第１固着部
２７ｂ  ベローズ部
２７ｃ  第２固着部
２７ｆ  軟質樹脂フィルム
２７ｇ  弾性エラストマーシート
２８    傾倒型スイッチ
【図１】
2009104877.tif 000003
【図２】
2009104877.tif 000004
【図３】
2009104877.tif 000005
【図４】
2009104877.tif 000006
【図５】
2009104877.tif 000007
【図６】
2009104877.tif 000008
【図７】
2009104877.tif 000009
【図８】
2009104877.tif 000010
【図９】
2009104877.tif 000011
【図１０】
2009104877.tif 000012
【図１１】
2009104877.tif 000013